(57)【要約】【課題】  メディアに保存された、日付情報がそれぞれ付与された複数の画像情報の中から顧客がプリントを希望する画像情報を選択する場合に、その選択を出来る限り容易にできるようにして、受付装置の顧客１人当たりの占有時間を短縮する。【解決手段】  画像情報のプリント注文を行うための入力操作を促す複数の注文用画面のうち、複数の画像情報を表示させかつ顧客に、該複数の画像情報の中からプリントを希望する画像情報を選択する入力操作を促す画像情報選択画面（プリント枚数設定画面）において、曜日変換部により上記日付情報から変換された曜日情報を、該日付情報と共に該各画像情報とそれぞれ対応付けて表示させる。【選択図】  図１２
2006343422.tif 000002
【特許請求の範囲】
【請求項１】
日付情報がそれぞれ付与された複数の画像情報を受け付けるプリント注文受付装置であって、
顧客に、上記受け付けた画像情報のプリント注文を行うための入力操作を促す注文用画面を表示する表示手段と、
上記表示手段に表示される注文用画面に対して上記顧客が上記入力操作を行うための入力手段と、
上記表示手段に表示させる注文用画面を制御する制御手段とを備え、
上記制御手段は、上記各画像情報にそれぞれ付与された日付情報から曜日情報に変換する曜日変換部を有していて、上記複数の画像情報を表示させかつ上記顧客に、該複数の画像情報の中からプリントを希望する画像情報を選択する入力操作を促す、上記注文用画面としての画像情報選択画面において、上記曜日変換部により上記日付情報から変換された曜日情報を、該日付情報と共に該各画像情報とそれぞれ対応付けて表示させるように構成されていることを特徴とするプリント注文受付装置。
【請求項２】
請求項１記載のプリント注文受付装置において、
上記顧客の入力操作には、上記複数の画像情報を曜日毎にソートするためのソート操作が含まれており、
上記制御手段は、上記顧客が上記ソート操作を行ったと判定した場合に、上記画像情報選択画面において、上記複数の画像情報を、上記曜日情報に基づいて曜日毎にソートした状態で表示させるように構成されていることを特徴とするプリント注文受付装置。
【請求項３】
請求項２記載のプリント注文受付装置において、
上記顧客の入力操作には、曜日を指定するための曜日指定操作が含まれており、
上記制御手段は、上記顧客が上記曜日指定操作を行ったと判定した場合に、上記画像情報選択画面において、上記顧客の曜日指定操作により指定された曜日に対応する画像情報を、他の曜日に対応する画像情報よりも優先して表示させるように構成されていることを特徴とするプリント注文受付装置。
【請求項４】
請求項２記載のプリント注文受付装置において、
上記顧客の入力操作には、曜日の順序を指定するための曜日順序指定操作が含まれており、
上記制御手段は、上記顧客が上記曜日順序指定操作を行ったと判定した場合に、上記画像情報選択画面において、上記曜日毎にソートされた画像情報を、上記顧客の曜日順序指定操作により指定された曜日順に表示させるように構成されていることを特徴とするプリント注文受付装置。
【請求項５】
請求項１記載のプリント注文受付装置において、
上記顧客の入力操作には、曜日を指定するための曜日指定操作が含まれており、
上記制御手段は、上記顧客が上記曜日指定操作を行ったと判定した場合に、上記画像情報選択画面において、上記顧客の曜日指定操作により指定された曜日に対応する画像情報のみを表示させるように構成されていることを特徴とするプリント注文受付装置。
【発明の詳細な説明】
【技術分野】
【０００１】
本発明は、記録媒体に保存された画像情報のプリント注文を行うための入力操作を顧客自らが行うことで、そのプリント注文の受付処理を行うようにしたプリント注文受付装置に関する技術分野に属する。
【背景技術】
【０００２】
従来、デジタルカメラで撮影したデジタルの写真画像情報のプリントを行う場合には、その画像情報が記憶保存された記録媒体（メディア）をＤＰ店の店員に手渡してプリント注文を行うようにしていた。一方、近年では、店頭に設置されたプリント注文受付装置に対して顧客自らが入力操作してプリント注文を行う方法が一般化しつつある。このようなプリント注文受付装置としては、特許文献１に開示されたものが知られている。
【０００３】
この特許文献１に開示されたプリント注文受付装置は、顧客がセットしたメディアから画像情報を読み出す媒体ドライブと、顧客に、この媒体ドライブによって読み出される画像情報のプリント注文を行うための入力操作を促す複数の注文用画面を１画面ずつ表示するタッチパネル式のディスプレイとを備えていて、タッチパネルから出力される入力操作信号の受信内容により上記入力操作の内容を判定して、その内容に応じて、上記ディスプレイに表示させる注文用画面を制御しかつ上記プリント注文に必要な項目を設定することで、上記プリント注文の受付処理を行うようになっている。上記注文用画面としては、顧客に、複数のプリントサイズの中から１つを選択する入力操作を促す画面や、顧客に、サムネイル形式で表示した複数の画像情報（上記媒体ドライブによって読み出された画像情報）の中からプリントを希望する画像情報を選択しかつそのプリント枚数を設定するための入力操作を促す画面等がある。そして、顧客は、ディスプレイに表示される各注文用画面に対して複数の選択肢の中から１つを選択する入力操作等を行うことで、プリント注文に必要な項目の設定がなされて、プリント注文の受付が完了する。
【特許文献１】特開２００３−７５９３０号公報
【発明の開示】
【発明が解決しようとする課題】
【０００４】
ところで、上記メディアに保存されている画像情報には、通常、その画像が撮影されたときの日付情報（Ｅｘｉｆ情報等）が付与されており、上記画像情報を表示させる注文用画面において、画像情報と共に該画像情報に対応する日付情報を表示させるようにすれば、顧客がプリントを希望する画像情報を選択する上で便利になる。
【０００５】
しかしながら、このように日付情報を表示させるようにしても、メディアに保存された画像情報が多数あって、顧客が、その中から、例えば正確に覚えていない或る特定の日に撮影した画像情報のみを選択しようとした場合には、その選択は容易ではない。すなわち、顧客は、例えば日曜日等のように曜日を覚えていることは多々あるので、画像情報に対応して表示された日付情報からカレンダーによりその日付の曜日を確認することで、その日付情報に対応する画像情報がプリント対象として選択すべきものであるか否かを判断することとなり、非常に手間がかかってしまう。この結果、受付装置の顧客１人当たりの占有時間が長くなってしまうという問題がある。
【０００６】
本発明は、斯かる点に鑑みてなされたものであり、その目的とするところは、メディアに保存された複数の画像情報の中から顧客がプリントを希望する画像情報を選択する場合に、その選択を出来る限り容易にできるようにして、受付装置の顧客１人当たりの占有時間を短縮しようとすることにある。
【課題を解決するための手段】
【０００７】
上記の目的を達成するために、この発明では、曜日変換部により、各画像情報にそれぞれ付与された日付情報から曜日情報に変換するようにし、複数の画像情報を表示させかつ顧客に、該複数の画像情報の中からプリントを希望する画像情報を選択する入力操作を促す、注文用画面としての画像情報選択画面において、上記日付情報から変換された曜日情報を、該日付情報と共に該各画像情報とそれぞれ対応付けて表示させるようにした。
【０００８】
具体的には、請求項１の発明では、日付情報がそれぞれ付与された複数の画像情報を受け付けるプリント注文受付装置を対象とする。
【０００９】
そして、顧客に、上記受け付けた画像情報のプリント注文を行うための入力操作を促す注文用画面を表示する表示手段と、上記表示手段に表示される注文用画面に対して上記顧客が上記入力操作を行うための入力手段と、上記表示手段に表示させる注文用画面を制御する制御手段とを備え、上記制御手段は、上記各画像情報にそれぞれ付与された日付情報から曜日情報に変換する曜日変換部を有していて、上記複数の画像情報を表示させかつ上記顧客に、該複数の画像情報の中からプリントを希望する画像情報を選択する入力操作を促す、上記注文用画面としての画像情報選択画面において、上記曜日変換部により上記日付情報から変換された曜日情報を、該日付情報と共に該各画像情報とそれぞれ対応付けて表示させるように構成されているものとする。
【００１０】
上記の構成により、曜日情報が日付情報と共に画像情報と対応付けて表示されるので、顧客のプリントを希望する画像情報の選択の幅が広がり、例えば或る特定の日に撮影した画像情報のみを選択しようとした場合に、その日付を正確に覚えていなくても、曜日を覚えていれば、その画像情報を容易に選択することができるようになる。
【００１１】
請求項２の発明では、請求項１の発明において、上記顧客の入力操作には、上記複数の画像情報を曜日毎にソートするためのソート操作が含まれており、上記制御手段は、上記顧客が上記ソート操作を行ったと判定した場合に、上記画像情報選択画面において、上記複数の画像情報を、上記曜日情報に基づいて曜日毎にソートした状態で表示させるように構成されているものとする。
【００１２】
請求項３の発明では、請求項２の発明において、上記顧客の入力操作には、曜日を指定するための曜日指定操作が含まれており、上記制御手段は、上記顧客が上記曜日指定操作を行ったと判定した場合に、上記画像情報選択画面において、上記顧客の曜日指定操作により指定された曜日に対応する画像情報を、他の曜日に対応する画像情報よりも優先して表示させるように構成されているものとする。
【００１３】
請求項４の発明では、請求項２の発明において、上記顧客の入力操作には、曜日の順序を指定するための曜日順序指定操作が含まれており、上記制御手段は、上記顧客が上記曜日順序指定操作を行ったと判定した場合に、上記画像情報選択画面において、上記曜日毎にソートされた画像情報を、上記顧客の曜日順序指定操作により指定された曜日順に表示させるように構成されているものとする。
【００１４】
請求項５の発明では、請求項１の発明において、上記顧客の入力操作には、曜日を指定するための曜日指定操作が含まれており、上記制御手段は、上記顧客が上記曜日指定操作を行ったと判定した場合に、上記画像情報選択画面において、上記顧客の曜日指定操作により指定された曜日に対応する画像情報のみを表示させるように構成されているものとする。
【００１５】
これら請求項２〜５の発明により、曜日しか覚えていない特定の日に撮影した画像情報の選択がより一層容易となる。
【発明の効果】
【００１６】
以上説明したように、本発明のプリント注文受付装置によると、画像情報選択画面において、曜日変換部により日付情報から変換された曜日情報を、該日付情報と共に該各画像情報とそれぞれ対応付けて表示させるようにしたことにより、プリントを希望する画像情報の選択の幅が広がり、その選択が非常に容易となり、この結果、受付装置の顧客１人当たりの占有時間の短縮化を図ることができる。
【発明を実施するための最良の形態】
【００１７】
以下、本発明の実施形態を図面に基づいて詳細に説明する。
【００１８】
図１及び図２に示すように、本発明の実施形態に係るプリント注文受付装置（以下、受付装置と略称する）１は、記録シートとしての銀塩式の印画紙５に画像情報のプリントを行うデジタル型の写真プリント装置３とデータ伝送ネットワーク２によって通信可能に接続されて、プリントシステムが構成されている。尚、本実施形態では、２台の受付装置１が写真プリント装置３とそれぞれ接続されているが、写真プリント装置３と接続される受付装置１は１台であってもよく、３台以上であってもよい。
【００１９】
上記プリントシステムは、ＤＰ店における既設の写真プリント装置３に、データ伝送ネットワーク２と２台の受付装置１とを追加することにより構築されたものであり、このシステムでは、顧客が、複数のデジタルの写真画像情報が記憶保存された記録媒体Ｍ１（図３参照。以下、メディアと称する。）を受付装置１における後述のメディアドライブ１１にセットするとともに、後述の如く表示手段としてのディスプレイ１２に表示される注文用画面に対して、プリント注文を行うための入力操作を行うと、プリント注文に必要な複数の項目（顧客がプリントを希望するプリント対象となる画像情報やプリント枚数等）の設定がなされ、こうしてプリント注文が受け付けられる。そして、当該顧客のプリント注文終了後に、受付証ｒｅ（図４参照）がプリント発行される。この受付証ｒｅを、顧客がＤＰ店のサービスカウンターで担当者に提示すると、その担当者が受付証ｒｅに記録された受付情報に基づき、写真プリント装置３からの操作で、受付装置１に一時格納されている、上記設定された項目（プリント対象の画像情報やそのプリント枚数等）からなる注文情報をネットワーク２を介して受信して、この注文情報に基づいて、写真プリント装置３で上記プリント対象の画像情報のプリントを行い、顧客に仕上がりプリント５ｂを手渡す手順となっている。
【００２０】
上記メディアＭ１の具体例としては、図３に示すように、デジタルカメラで撮影された画像情報を保存したスマートメディアＳＭ、コンパクトフラッシュ（登録商標）ＣＦ、メモリスティックＭＳを初め、メディアＭ１のアタッチメントとして機能するＰＣカードＰＣ−Ｃ、顧客自身が画像情報を保存したＣＤ−ＲＯＭやＭＯ等が挙げられる。このメディアＭ１に保存されている画像情報には、その画像の撮影日である日付情報（Ｅｘｉｆ情報等）が付与されており、そのメディアＭ１に保存された複数の画像情報をメディアドライブ１１によって読み取ることで、受付装置１は、日付情報がそれぞれ付与された複数の画像情報を受け付けることとなる。
【００２１】
上記受付装置１は、図３に示すように、筐体１０と、この筐体１０の上面に設けられ、表示面に入力手段としてのタッチパネル１３が形成された液晶型のディスプレイ１２とを備えている。上記筐体１０内部には、上記メディアＭ１の具体例としての、スマートメディアＳＭ、コンパクトフラッシュＣＦ、メモリスティックＭＳ、ＰＣカードＰＣ−Ｃ、ＣＤ−ＲＯＭ、ＭＯそれぞれに対応する媒体ドライブとしての複数のメディアドライブ１１が設けられており、筐体１０の前面には、該各メディアドライブ１１にメディアＭ１をセットするための挿入口が設けられている。また、筐体１０の上面でディスプレイ１２よりも前側部分には、受付証ｒｅを発行するための熱転写式の受付証プリンタ１５が設けられている。さらに、筐体１０の内部には、制御手段としてのコントローラ２０及びデータ格納部としてのハードディスク１４が内蔵されている。上記タッチパネル１３は、顧客が接触して入力操作することにより入力操作信号を出力するように構成されているとともに、その顧客が接触する部分によって異なる入力操作信号を出力するようになっている。
【００２２】
上記コントローラ２０の機能は、ネットワーク機能を有する汎用コンピュータと実質的に同様であり、上記複数のメディアドライブ１１及びタッチパネル１３との情報のやりとり、顧客のタッチパネル１３による入力操作に基づいて、写真プリント装置３によるプリント出力に用いられる注文情報の作成、ハードディスク１４への格納管理、並びに、受付証プリンタ１５及び発光素子や圧電ブザーからなるアラーム１７（図５参照）の制御を行う。このコントローラ２０は所定のオペレーションシステムが有する各種プログラムやこのオペレーションシステム上で動作するように作成された各種プログラムによって、付属ハードウエアと協働しながら受付装置１に必要とされる各種機能を作り出している。また、コントローラ２０は、図５に示すように、Ｉ／Ｏインタフェースを介してメディアドライブ１１やハードディスク１４等の機器と接続されていて、上記メディアドライブ１１との情報のアクセスと、タッチパネル１３との情報のアクセスと、ハードディスク１４との情報のアクセスとを可能に構成し、かつ、ディスプレイ１２に対する画面の出力と、上記受付証プリンタ１５に対する情報の出力と、上記アラーム１７に対する信号の出力とを可能に構成されている。
【００２３】
さらに詳しく説明すると、コントローラ２０は、作業領域が形成されるＲＡＭ型の半導体メモリや、プログラムやパラメータが保存されるＲＯＭ型の半導体メモリの総称としてのメモリ２１と、予め記憶されているカレンダー情報に基づいて、上記各画像情報にそれぞれ付与された日付情報から曜日情報に変換する曜日変換部２２と、ハードウエア又はソフトウエア、あるいは、ハードウエアとソフトウエアとの組合わせでなり、上記メディアＭ１からメディアドライブ１１により読み出して受け付けた画像情報（撮影画像データ等）を処理する画像情報処理部２４と、ディスプレイ１２に各種情報を表示するための表示制御部２５と、タッチパネル１３から出力された入力操作信号を処理する入力検出部２６と、顧客の入力操作により設定されたプリントサイズや、プリント対象の画像情報、そのプリント枚数等から注文情報を作成する注文情報処理部２７と、注文情報処理部２７で作成された注文情報（プリント対象の画像情報を含む）を注文番号等を付してハードディスク１４に記憶させる注文情報保存部２８と、注文番号や顧客名等のデータを記録した受付証ｒｅを受付証プリンタ１５を介して発行する受付証発行処理部２９とを含んでいて、データバスを介して互いの情報をアクセス自在に構成されている。
【００２４】
上記画像情報処理部２４は、メディアドライブ１１によりメディアＭ１から読み出した画像情報（ＪＰＥＧやＴＩＦＦ等）をサムネイル形式（以下、サムネイル画像と称する）でディスプレイ１２に注文用画面として表示するよう機能する。この画像情報処理部２４は、メディアＭ１にサムネイル画像が含まれる場合には、サムネイル画像の表示を行い、サムネイル画像が存在しない場合には、オリジナルの画像情報からサムネイル画像を生成してディスプレイ１２に表示する。
【００２５】
上記入力検出部２６は、タッチパネル１３から出力された入力操作信号を受信して該受信内容に基づいて顧客が接触操作したタッチパネル１３上の座標情報を認識するよう機能するものである。上記表示制御部２５は、この入力検出部２６で認識した座標情報に基づいて、タッチパネル１３上の座標情報とディスプレイ１２に表示している画面とを照らし合わせて、顧客の入力操作の内容を判定して、それに対応する画面を表示させる。
【００２６】
上記受付証発行処理部２９は、上記顧客のプリント注文終了後（後述の「メディア取り出し案内画面」におけるＯＫボタン５４の操作後）に、注文の明細、端末ＩＤ及び注文ＩＤ等を受付証プリンタ１５でプリントして受付証ｒｅとして出力するよう機能するものであり、この受付証ｒｅは、上述のように、サービスカウンターで提示するために使用される。
【００２７】
上記ディスプレイ１２には、上記表示制御部２５により、顧客に、上記メディアドライブ１１によって読み出される画像情報のプリント注文を行うための入力操作を促す複数の注文用画面が１画面ずつ表示されるようになっている。この注文用画面には、メディアドライブ１１によりメディアＭ１から読み出した画像情報（サムネイル画像）を表示する画面が含まれている。このディスプレイ１２に表示される注文用画面は、各注文用画面に対する顧客の入力操作の内容に応じて制御される。また、この顧客の入力操作の内容に応じて、プリント注文に必要な項目が設定されることになる。すなわち、コントローラ２０は、タッチパネル１３から出力された入力操作信号の受信内容により顧客の入力操作の内容を判定して、その入力操作の内容に応じて、ディスプレイ１２に表示させる注文用画面を制御しかつプリント注文に必要な項目を設定することで、プリント注文の受付処理を行う制御手段を構成している。これにより、顧客は、タッチパネル１３により、メディアＭ１から読み出した画像情報の中からプリントを希望する画像情報を選択する入力操作を行ったり、そのプリント対象の画像情報についてプリント枚数を入力する入力操作を行ったりすると、コントローラ２０は、上記選択された画像情報をプリント対象として設定したり、上記入力されたプリント枚数を、上記プリント対象のプリント枚数として設定したりする。このように顧客の入力操作の内容に応じてプリント注文に必要な全ての項目を設定するとともに、この設定された項目より、プリント対象の画像情報を含む注文情報を作成する。しかる後、その注文情報をハードディスク１４に保存しかつ受付証プリンタ１５により受付証ｒｅをプリント発行して、その後、上記写真プリント装置３からの要求に基づいて、上記注文情報を該写真プリント装置３へ転送する。
【００２８】
この受付装置１のコントローラ２０は、ネットワークインタフェース２ｃを介してイーサーネットケーブル２ａとハブ２ｂとを含むデータ伝送ネットワーク２によって写真プリント装置３のコントローラ４０とＬＡＮ（Local Area Network）接続され、ＴＣＰ／ＩＰ形式のプロトコルで互いに情報のアクセスを行えるよう構成してある。上記注文情報は、受付装置１のハードディスク１４の共有フォルダに階層的に格納されている。例えば、注文情報は、共有フォルダの階層下に注文毎に形成される、注文番号を付したフォルダで管理される。このように構成することによって、受付証ｒｅを受け取った担当者は、端末ＩＤと注文番号とから注文情報が保存されている端末及びプリント対象となっているディレクトリを特定して、注文情報を読み出してプリント処理を行うことができる。
【００２９】
次いで、写真プリント装置３について説明する。この写真プリント装置３は、図１及び図２に示すように、テーブル状に形成されたオペレート部３ａと現像処理部３ｂとを一体化してなる装置本体３０と、この装置本体３０から分離した位置に配設されたスキャナユニット３１とを備えている。装置本体３０のオペレート部３ａの下部には、印画紙マガジン５ａからの印画紙５をプリントサイズに切断して、印画紙搬送機構３２ｂによってデジタル型の露光ヘッド３２ａに供給する露光系を内装している。露光ヘッド３２ａは、印画紙５の搬送方向と直交する方向にレーザービームを送出して走査を行う形式のものが使用されているが、この露光ヘッド３２ａとして蛍光ビーム方式、液晶シャッター方式、ＤＭＤ方式又はＦＯＣＲＴ等の使用が可能である。また、現像処理部３ｂには、露光ヘッド３２ａで露光された印画紙５の現像処理を行う現像処理槽３３を内装しており、この現像処理槽３３で現像処理が行われた印画紙５は、乾燥の後、現像処理部３ｂの上面の横送りコンベア３４ａに送出し、この横送りコンベア３４ａからの印画紙５を仕分けコンベア３４ｂに送出すよう処理形態が設定されている。
【００３０】
上記オペレート部３ａには、ＣＤ−ＲＯＭ又はＤＶＤからの情報の読み出し、及び、ＣＤ−Ｒに対する情報の書き込みを行うコンボドライブ３５と、スマートメディアＳＭやコンパクトフラッシュＣＦ、ＭＯ等の各種メディアに対応した複数のマルチドライブ３６と、画像情報や各種情報の表示を行うディスプレイ３７と、キーボード３８と、マウス３９とが備えられている。そして、このオペレート部３ａの下部にはマイクロプロセッサを有したコントローラ４０が設けられている。このコントローラ４０には、ネットワークインタフェースを介して上記両受付装置１，１がネットワーク接続されている。
【００３１】
上記スキャナユニット３１は、底部にキャスタを備えた筐体３１ａの上面に対して、交換自在に設けられたフィルムキャリア３１ｂと、筐体内部に光学レンズやＣＣＤ等の光電変換素子を有した光電変換部（図示せず）と、筐体内部に備えた光源から光ファイバーを介して送られる光線をフィルムキャリア３１ｂの上面側に導くアーム３１ｃとを備えている。そして、写真フィルムＭ２のスキャニングを行う場合には、ネガティブフィルム又はポジティブフィルムを、フィルムキャリア３１ｂにセットして、フィルムキャリア３１ｂにより設定速度で移動させながらアーム３１ｃの先端から下方に向けて照射する光線により、写真フィルムＭ２の各コマの画像情報を光電変換部でデジタル信号化し、ケーブル３１ｄを介してコントローラ４０に転送し得るよう構成されている。
【００３２】
上記コントローラ４０は汎用コンピュータからなっていて、所定のオペレーションシステムが有する各種プログラムやこのオペレーションシステム上で動作するように作成された各種プログラムによって、付属ハードウェアと協働しながら写真プリント装置３に必要とされる各種機能を作り出している。具体的には、コントローラ４０は、ディスプレイ３７に担当者に操作を促す画面を表示させると共に、キーボード３８又はマウス３９からの入力信号に基づいて担当者の操作を受け付ける。そして、コントローラ４０は、キーボード３８等からの入力信号に基づいて、上記受付装置１から上記注文情報を取得し、或いは、スキャナユニット３１から画像情報を取得して、必要に応じて画像情報の補正を行ってシミュレート画像や補正情報をコントローラ４０のメモリやコントローラ４０に接続されたハードディスクに記憶させるとともに、その画像情報に基づいて露光ヘッド３２ａや印画紙搬送機構３２ｂを制御して印画紙５にプリントを行うように写真プリント装置３を制御する。
【００３３】
次に、受付装置１におけるコントローラ２０による基本的な受付処理を処理順序に沿って説明する。図６は、この処理の概要を示すフローチャートである。
【００３４】
先ず、この受付装置１の待機状態において、表示制御部２５は、初期画面として、例えば図７に示すように、該受付装置１の機能やＤＰ店のロゴマーク等を含む待機画面をディスプレイ１２に表示させる（ステップＳ１）。この待機画面には、「画面に触れてください」とのメッセージが表示されていて、プリント注文を行う顧客にディスプレイ１２に触れることを促す。
【００３５】
そして、顧客がディスプレイ１２のタッチパネル１３に指を接触させることにより、ステップＳ２へ進んで、表示制御部２５は、最初の注文用画面として、例えば図８に示すような「サービス選択画面」をディスプレイ１２に表示させる。この画面には、「サービスを選択してください」とのメッセージと共に、プリント注文の受付を行わせるプリント受付ボタン５０と、メディア保存受付を行わせるメディア保存受付ボタン５１が表示されていて、顧客に両サービスのうち１つを選択する入力操作、つまり両ボタン５０，５１のうちいずれか一方に触れる操作を促す。尚、顧客がメディア保存受付ボタン５１を接触操作した場合には、メディアＭ１に保存された画像情報を、写真プリント装置３に転送して、該写真プリント装置３においてＣＤ−ＲやＭＯに保存する処理が行われるが、プリント注文の受付処理と基本的に同じ処理形態であるので詳述しない。
【００３６】
上記「サービス選択画面」に対して顧客がプリント受付ボタン５０を接触操作した場合には、ステップＳ３へ進んで、表示制御部２５は、次の注文用画面として、例えば図９に示すような「メディア選択画面」をディスプレイ１２に表示させる。この「メディア選択画面」には、「メディアを選択してください」とのメッセージと共に、複数のメディアボタン５３，５３，…を表示して、顧客に複数のメディアの中から１つのメディアを選択する入力操作を促す。顧客が、この入力操作の後にメディアドライブ１１にセットするメディアに対応するメディアボタン５３を接触操作することによって、ステップＳ４へ進んで、次の処理を実行する。尚、上記「メディア選択画面」の下側には、処理を中止するための中止ボタン５２ｃと、表示中の注文用画面（ここでは「メディア選択画面」）の１つ前に表示された注文用画面（ここでは「サービス選択画面」）に戻るための戻るボタン５２ｄとが表示され、これら中止ボタン５２ｃ及び戻るボタン５２ｄは、後述の各注文用画面においても同様の位置に表示され、ボタン接触操作により同様に機能する。
【００３７】
上記ステップＳ４では、表示制御部２５は、次の注文用画面として、例えば図１０に示すような「メディアセット案内画面」をディスプレイ１２に表示させる。この画面には、「メディアをセットして、ＯＫボタンを押してください」とのメッセージと共に、ステップＳ３において顧客が選択したメディアをセットする際の具体的な画像が表示されている。そして、顧客がメディアドライブ１１にメディアをセットしＯＫボタン５４を操作することで、ステップＳ５へ進んで、画像情報処理部２４がセットされたメディアＭ１から画像情報を読み出し、その後、ステップＳ６へ進んで、次の処理を実行する。
【００３８】
上記ステップＳ６では、表示制御部２５は、次の注文用画面として、例えば図１１に示すような「プリントサイズ選択画面」をディスプレイ１２に表示させる。この画面には、「プリントサイズを選択してください」とのメッセージと共に、複数のプリントサイズに対応したサイズ指定ボタン５５，５５，…が表示されている。このサイズ指定ボタン５５，５５，…には、プリントサイズを示す「Ｌ版」や「２Ｌ版」等の文字の他に、プリントサイズを示す数値と、プリントの単価と、プリントの基本料金とがそれぞれ表示され、顧客がいずれか１つのサイズ指定ボタン５５を操作することで、コントローラ２０の注文情報処理部２７が、その入力操作されたプリントサイズをメモリ２１に記憶させる。その後、ステップＳ７へ進んで、次の処理を実行する。
【００３９】
上記ステップＳ７では、表示制御部２５は、次の注文用画面として、例えば図１２に示すような「プリント枚数設定画面」をディスプレイ１２に表示させて、顧客に、プリント対象の画像情報の選択、プリント枚数の設定及び必要に応じて画像の補正を行わせる。この画面には、「プリント枚数を設定してください」とのメッセージと、メディアＭ１から読み出された画像情報の複数のサムネイル画像Ｓとが表示されている。本実施形態では、８つのサムネイル画像Ｓが１ページ分として表示される。この画像情報の初期の表示順序としては、本実施形態では、画像情報に付与された日付情報の古いもの順とされている（日付が同じ場合には、ファイル名の順となる）が、後述の如く顧客の操作によりソートすることができるようになっている。
【００４０】
また、上記「プリント枚数設定画面」における各サムネイル画像Ｓを含むフレーム５６の上段には、画像情報を特定するファイルの名称、ファイルの種類を示す拡張子及びデータサイズがそれぞれ表示され、各フレーム５６の中段におけるサムネイル画像Ｓの直ぐ下側には、上記日付情報と、上記曜日変換部２２により該日付情報から変換された曜日情報とがそれぞれ表示されている。これにより、各画像情報にそれぞれ対応する日付情報から変換した曜日情報が、該日付情報と共に各画像情報とそれぞれ対応付けて表示されていることになる。さらに、各フレーム５６の下段には、プリント枚数を示す数値を表示するプリント枚数表示エリア５７が形成され、かつ、このプリント枚数表示エリア５７を挟む位置にプリント枚数を１枚ずつ増加させるプラスボタン５７ａと、プリント枚数を１枚ずつ減少させるマイナスボタン５７ｂとがそれぞれ表示されている。さらにまた、各プリント枚数表示エリア５７の下側には、画像の補正を行うべく不図示の「画像補正画面」へ移行する補正ボタン５７ｃがそれぞれ表示されている。
【００４１】
上記プリント枚数表示エリア５７にプリント枚数として表示される数値は、初期状態においては「０」であるが、プラスボタン５７ａを操作すると、その画像のプリント枚数が１増加し、マイナスボタン５７ｂを操作すると、その画像情報のプリント枚数が１減少し、その設定枚数がプリント枚数表示エリア５７に表示される。そして、画像のプリント枚数を１以上に設定することによって、同時に、プリント対象の画像を選択することになる。このことより、この「プリント枚数設定画面」は、複数の画像情報を表示させかつ顧客に、該複数の画像情報の中からプリントを希望する画像情報を選択する入力操作を促す画像情報選択画面に相当する。
【００４２】
また、「プリント枚数設定画面」の画面下側には、中止ボタン５２ｃと、上記複数の画像情報を曜日毎にソートするためのソートボタン５６ａと、全てのプリント枚数を１枚ずつ増加させる全体プラスボタン５６ｂと、全てのプリント枚数を１枚ずつ減少させる全体マイナスボタン５６ｃと、注文を完了する（ここでは、注文情報を作成するための注文の完了を意味し、顧客の注文が完全に完了するのは、後述の「メディア取り出し案内画面」におけるＯＫボタン５４を操作したときである）ＯＫボタン５４と、現在表示中のページから１つ前に表示されたページを表示させる（最初のページの表示中に操作したときには、上記「プリントサイズ選択画面」に戻る）戻るボタン５６ｄと、次のページを表示させる進むボタン５６ｅとが表示されている。そして、全体プラスボタン５６ｂと全体マイナスボタン５６ｃとの間には、ページを示す数字（全ページを示す数字および現在表示されているページを示す数字）が表示されている。さらに、画面下側の中央位置には情報エリアＤＥが表示されている。この情報エリアＤＥには、選択されたプリントサイズの情報、設定されたプリント合計枚数、選択された画像数、プリント１枚の単価及びプリントに要する合計金額が表示される。
【００４３】
上記ソートボタン５６ａを操作することによって、上記複数の画像情報を曜日毎にソートした状態で表示させることができる。本実施形態では、このソートボタン５６ａを操作したときに、曜日を指定する画面がディスプレイ１２に表示されて、顧客は１つの曜日を指定することができ、この顧客の曜日指定操作により指定された曜日に対応する画像情報が、他の曜日に対応する画像情報よりも優先して表示されるようになっている。すなわち、その指定された曜日に対応する画像情報が最初に表示され、他の曜日に対応する画像情報は、予め決められた曜日順に表示される。尚、このように１つの曜日を指定するだけでなく、曜日の順序を指定できるようにして、曜日毎にソートされた画像情報を、顧客の曜日順序指定操作により指定された曜日順に表示させるようにしてもよい。或いは、ソートボタン５６ａの代わりに、曜日指定ボタンを設けて、この曜日指定ボタンの操作により指定された曜日に対応する画像情報のみを表示させるようにしてもよい。
【００４４】
また、上記全体プラスボタン５６ｂを操作することによって、画面に表示されない画像も含めて全ての画像情報のプリント枚数が１増加し、全体マイナスボタン５６ｃを操作することで、画面に表示されない画像も含めて全ての画像情報のプリント枚数が１減少する。
【００４５】
このようにして、上記ソートボタン５６ａの操作に基づいて複数の画像情報を曜日毎にソートしたり、上記進むボタン５６ｅ又は戻るボタン５６ｄの操作に基づいてサムネイル画像Ｓのページを切り替えたりしながら、プリントすべき画像を選択してプリント枚数を設定する。
【００４６】
上記「プリント枚数設定画面」においては、上記各サムネイル画像Ｓのフレーム５６の補正ボタン５７ｃを操作することによって、表示制御部２５は、注文用画面として、不図示の「画像補正画面」をディスプレイ１２に表示させる。顧客は、この画面で各画像の色や濃度、トリミング位置、大きさ等を補正することができる。
【００４７】
こうして、プリント対象の画像情報を選択しかつプリント枚数を設定し、必要に応じて画像情報を補正した後、「プリント枚数設定画面」におけるＯＫボタン５４を顧客が接触操作することで、注文情報処理部２７は、プリント対象の画像情報、そのプリント枚数及び画像補正の設定内容、並びに上記メモリ２１に記憶されたプリントサイズから注文情報を作成し、この注文情報をメモリ２１に記憶する。
【００４８】
すなわち、ステップＳ７で「プリント枚数設定画面」をディスプレイ１２に表示させた後は、ステップＳ８で、「プリント枚数設定画面」中で補正ボタン５７ｃ又はＯＫボタン５４が操作されたか否かを判定する。そして、補正ボタン５７ｃが操作された場合には、ステップＳ９へ進んで、上述の如く「画像補正画面」を表示させ、この「画像補正画面」におけるＯＫボタン又は戻るボタンを操作すると、再びステップＳ７へ戻って「プリント枚数設定画面」を表示させる。こうして、プリント枚数の設定及び画像補正が完了するまでステップＳ７〜ステップＳ９の処理を繰り返し、「プリント枚数設定画面」におけるＯＫボタン５４が操作されると、ステップＳ８からステップＳ１０へと進む。
【００４９】
上記ステップＳ１０では、表示制御部２５は、次の注文用画面として、例えば図１３に示すような「名前入力画面」をディスプレイ１２に表示させる。この画面には、「名前を入力してください」とのメッセージが表示されるとともに、名前表示部とキーボードとを有した入力ボード６０が表示され、キーボードに接触して名前を入力するとＯＫボタン５４が表示される。このＯＫボタン５４を顧客が操作すると、注文情報処理部２７が、入力された名前を顧客情報としてメモリ２１に記憶する。
【００５０】
次のステップＳ１１では、表示制御部２５は、次の注文用画面として、例えば図１４に示すような「電話番号入力画面」をディスプレイ１２に表示させる。この画面には、「電話番号を入力してください」とのメッセージが表示されるとともに、電話番号表示部とキーボードとを有する入力ボード６１が表示され、この入力ボード６１のキーボードに接触して電話番号を入力すると、ＯＫボタン５４が表示される。このＯＫボタン５４を顧客が操作すると、注文情報処理部２７が、入力された電話番号を顧客情報としてメモリ２１に記憶する。その後、ステップＳ１２へと進む。
【００５１】
本実施形態では、上記のような顧客の名前や電話番号の入力操作は、プリント注文を行う上で必須の入力操作ではないので、これらの顧客情報の入力操作がない場合でも次の処理に移行できるような処理形態にすることもできる。これらの入力操作がない場合には、例えば受付装置１自体が生成した番号や符号を自動的に設定して顧客を区別するような処理形態とすればよい。
【００５２】
上記ステップＳ１２では、表示制御部２５は、次の注文用画面として、例えば図１５に示すような「注文内容確認画面」をディスプレイ１２に表示させる。この画面には、「注文の内容を確認してください」とのメッセージが表示されるとともに、上記メモリ２１に記憶された注文情報の詳細と、そのプリント料金とを一覧化した確認シート６２とが表示される。そして、確認シート６２の表示内容に誤りがなければ、顧客は「注文内容確認画面」におけるＯＫボタン５４を操作する。これにより、プリント注文に必要な全ての項目が完全に設定されたこととなり、次のステップＳ１３へと進んで、上記注文情報保存部２８が、上記ハードディスク１４の共有フォルダに注文番号を付した名前のフォルダを作成し、そのフォルダに上記注文情報と受付ＩＤや端末ＩＤ等のＩＤ情報とを記憶する。
【００５３】
次のステップＳ１４では、表示制御部２５は、次の注文用画面として、例えば図１６に示すような「メディア取り出し案内画面」をディスプレイ１２に表示させる。この画面には、「メディアを取り出してください」とのメッセージが表示され、この表示に従いメディアＭ１を取り出し、ＯＫボタン５４を操作することで、ステップＳ１５へ進んで、次の処理を実行する。このＯＫボタン５４の操作で、顧客のプリント注文が完全に終了する。尚、顧客がメディアＭ１を抜取らずに「メディア取り出し案内画面」におけるＯＫボタン５４を操作した場合には、アラーム１７を作動させて光や電子音で誤操作であることを認識させる。
【００５４】
上記ステップＳ１５では、表示制御部２５は、例えば図１７に示すような「受付証発行案内画面」をディスプレイ１２に表示させる。この画面には、「受付証を発行中です。しばらくお待ちください。」及び「受付証はカウンターに持参してください。」とのメッセージが表示される。そして、一定時間が経過すると、ステップＳ１６へ進み、コントローラ２０の受付証発行処理部２９によって受付証プリンタ１５を介して受付証ｒｅがプリントされて送り出される。このように受付証ｒｅが発行されると、受付処理の全てが終了して上記待機画面に復帰する。
【００５５】
上記受付証ｒｅは、図４に示すように、受付証本体とお客様控えとが連なった形態となっており、お客様名、電話番号、受付ＩＤ、端末ＩＤ、受付日、注文番号等の他に注文の詳細を示す内容がプリントされている。尚、即日に写真のプリントを手渡せない場合には、受付証本体とお客様控えとを切り離し、受付証本体をＤＰ店の控えとして残し、お客様控えを顧客に手渡す処理も可能にしている。
【００５６】
したがって、本実施形態では、画像情報選択画面である「プリント枚数設定画面」において、曜日変換部２２により日付情報から変換された曜日情報を、該日付情報と共に該各画像情報とそれぞれ対応付けて表示させるようにしたので、顧客のプリントを希望する画像情報の選択の幅が広がり、例えば或る特定の日に撮影した画像情報のみを選択しようとした場合に、その日付を正確に覚えていなくても、曜日を覚えていれば、その画像情報を容易に選択することができるようになる。しかも、ソート操作により、複数の画像情報が、曜日情報に基づいて曜日毎にソートされた状態で表示されるとともに、曜日指定操作により指定された曜日に対応する画像情報が、他の曜日に対応する画像情報よりも優先して表示されるので、曜日しか覚えていない特定の日に撮影した画像情報の選択がより一層容易となる。この結果、受付装置の顧客１人当たりの占有時間の短縮化を図ることができる。
【００５７】
尚、上記実施形態においては、サービス選択、メディア選択、プリントサイズ選択、プリント枚数設定、画像補正及び顧客情報（名前及び電話番号）入力という各入力操作が、プリント注文を行うための入力操作としているが、これに限られるものではなく、例えばテンプレートの選択等のような他の入力操作を加えてもよく、上記の如く顧客情報の入力操作はなくすようにしてもよい。
【００５８】
また、上記実施形態においては、受付装置１と写真プリント装置３とをネットワーク２で通信可能に接続してなるプリントシステムを構成しているが、これに限られるものではなく、上記受付装置１と写真プリント装置３とが一体型された受付装置であっても本発明を適用することができる。このように一体型された受付装置は、上記の受付装置１の構成に加えて、印画紙マガジン、印画紙搬送機構、露光ヘッド、現像処理部等を備えた構成されており、この受付装置では、該受付装置自体がプリントするので、顧客は、受付証ｒｅをＤＰ店のサービスカウンターに持っていかなくても、その場で写真を受け取ることができる。また、一体型された受付装置であっても、写真プリント装置３とネットワーク２で通信可能に接続しておいて、顧客が写真プリント装置３でプリントするか、受付装置自体でプリントするかを選択できるようにしてもよい。
【産業上の利用可能性】
【００５９】
本発明は、記録媒体に保存された画像情報のプリント注文を行うための入力操作を顧客自らが行うことで、そのプリント注文の受付処理を行うようにしたプリント注文受付装置に有用である。
【図面の簡単な説明】
【００６０】
【図１】本発明の実施形態に係るプリント注文受付装置を、写真プリント装置と接続してプリントシステムを構成したときの該システム全体を示す斜視図である。
【図２】図１のプリントシステムの構成を示すブロック図である。
【図３】プリント注文受付装置を拡大して示す斜視図である。
【図４】受付証の表示内容を示す図である。
【図５】受付装置のコントローラにおける機能を説明する機能ブロック図である。
【図６】受付装置のコントローラによる受付処理を示すフローチャートである。
【図７】初期画面（待機画面）の一例を示す図である。
【図８】サービス選択画面の一例を示す図である。
【図９】メディア選択画面の一例を示す図である。
【図１０】メディアセット案内画面の一例を示す図である。
【図１１】プリントサイズ選択画面の一例を示す図である。
【図１２】プリント枚数設定画面の一例を示す図である。
【図１３】名前入力画面の一例を示す図である。
【図１４】電話番号入力画面の一例を示す図である。
【図１５】注文内容確認画面の一例を示す図である。
【図１６】メディア取り出し案内画面の一例を示す図である。
【図１７】受付証発行案内画面の一例を示す図である。
【符号の説明】
【００６１】
１    プリント注文受付装置
１１  メディアドライブ（媒体ドライブ）
１２  ディスプレイ（表示手段）
１３  タッチパネル（入力手段）
２０  コントローラ（制御手段）
２２  曜日変換部
【図１】
2006343422.tif 000003
【図２】
2006343422.tif 000004
【図３】
2006343422.tif 000005
【図４】
2006343422.tif 000006
【図５】
2006343422.tif 000007
【図６】
2006343422.tif 000008
【図７】
2006343422.tif 000009
【図８】
2006343422.tif 000010
【図９】
2006343422.tif 000011
【図１０】
2006343422.tif 000012
【図１１】
2006343422.tif 000013
【図１２】
2006343422.tif 000014
【図１３】
2006343422.tif 000015
【図１４】
2006343422.tif 000016
【図１５】
2006343422.tif 000017
【図１６】
2006343422.tif 000018
【図１７】
2006343422.tif 000019